(57)【要約】【課題】  フロントグリルの着脱が可能であり、かつ、フロントグリルを取り付けるために筐体に特別な加工を施すことなく製造可能な簡易な構成のスピーカを提供する。【解決手段】  筐体１０は、前面に開口部を有し、スピーカユニット２０は、振動板２２を開口部から露出させて筐体１０の内部に収容されている。ネジ２３ａ〜２３ｄは、各々磁性体により構成され、スピーカユニット２０におけるフレーム２１を筐体１０における開口部の周囲の部分に固定する。フロントグリルは、そのグリル枠の裏面に複数の永久磁石が固定されており、これらは、防護ネットが振動板２２を覆った状態において、ネジ２３ａ〜２３ｄと各々対向し、各ネジを磁力により吸引することによりフロントグリルを筐体１０前面に固定する。【選択図】      図１
2005159863.tif 000002
【特許請求の範囲】
【請求項１】
前面に開口部を有する筐体と、
振動板を有するスピーカユニットと、
各々磁性体により構成され、前記振動板を前記開口部から露出させて前記スピーカユニットにおける前記振動板の周囲の部分を前記筐体における前記開口部の周囲の部分に固定する複数の締結具と、
防護ネットと、該防護ネットを保持するグリル枠と、該グリル枠の裏面に各々固定された複数の永久磁石とを有するフロントグリルとを具備し、
前記フロントグリルにおける複数の永久磁石は、前記防護ネットが前記振動板を覆った状態において、前記複数の締結具と各々対向し、各締結具を磁力により吸引することにより前記フロントグリルを前記筐体の前面に固定することを特徴とするスピーカ。
【請求項２】
前記スピーカユニットは、前記振動板を駆動する手段として、永久磁石を有する電磁式の駆動部を有し、前記フロントグリルにおける複数の永久磁石の磁軸は、前記駆動部の永久磁石の磁軸と平行であり、かつ、反対方向を向いていることを特徴とする請求項１記載のスピーカ。
【発明の詳細な説明】
【技術分野】
【０００１】
本発明は、着脱可能なフロントグリルを備えたスピーカに関する。
【背景技術】
【０００２】
図７は、従来のスピーカの一例を示す図である。図７に示すように、スピーカにおける筐体１の前面のバッフル板２には、振動板３が固定されている。そして、この振動板３を空気中の塵から防護するため、防護ネットを保持したフロントグリル４がバッフル板２に取り付けられる。このフロントグリル４の取り付けを行うため、バッフル板２には、４本のホールドピン５が立設されている。図８は、このホールドピン５に取り付けられたフロントグリル４のグリル枠４ａを示す断面図である。図８に示すように、グリル枠４ａの背面のホールドピン５に対応した位置には、孔が空けられており、この孔内にはゴムブッシュ６が設けられている。フロントグリル４は、このゴムブッシュ６内にホールドピン５を差し込ませることにより、バッフル板２に固定されている。
【０００３】
ところで、スピーカは、フロントグリルを装着した状態だけでなく、フロントグリルを外した状態でも店頭に展示される。このため、スピーカは、フロントグリルを外した状態においてユーザに与える美感が重要である。しかしながら、図７に示すスピーカは、フロントグリルを外した状態においてバッフル板上にホールドピンが突き出しているため、この美感を起こさせる能力に問題があった。また、図７に示すスピーカは、ホールドピンが音場に悪影響を及ぼすという問題があった。
【０００４】
特許文献１は、この問題を解決する技術を開示している。この特許文献１に開示されたスピーカでは、筐体の一部であるバッフル板の裏面（筐体の内壁面）に孔が空けられ、そこに永久磁石が埋め込まれており、一方、前面装飾版の裏面には磁性体が貼り付けられ、この磁性体を永久磁石に吸着させることにより、前面装飾版がバッフル板に固定される。この特許文献１に開示された技術を利用すれば、ホールドピンを用いることなく、フロントグリルをスピーカの筐体前面に固定することができる。
【特許文献１】実開昭６０−１４５８６号公報
【発明の開示】
【発明が解決しようとする課題】
【０００５】
しかしながら、上記特許文献１に開示された技術を利用する場合、フロントグリルを取り付けるために、筐体に、孔空けや永久磁石の埋め込みといった特別な加工を施さねばならず、そのために、スピーカの製造に手間が掛かり、製造コストが増すという問題があった。
【０００６】
この発明は、以上説明した事情に鑑みてなされたものであり、フロントグリルの着脱が可能であり、かつ、フロントグリルを取り付けるために筐体に特別な加工を施すことなく製造可能な簡易な構成のスピーカを提供することを目的とする。
【課題を解決するための手段】
【０００７】
この発明は、前面に開口部を有する筐体と、振動板を有するスピーカユニットと、各々磁性体により構成され、前記振動板を前記開口部から露出させて前記スピーカユニットにおける前記振動板の周囲の部分を前記筐体における前記開口部の周囲の部分に固定する複数の締結具と、防護ネットと、該防護ネットを保持するグリル枠と、該グリル枠の裏面に各々固定された複数の永久磁石とを有するフロントグリルとを具備し、前記フロントグリルにおける複数の永久磁石は、前記防護ネットが前記振動板を覆った状態において、前記複数の締結具と各々対向し、各締結具を磁力により吸引することにより前記フロントグリルを前記筐体の前面に固定することを特徴とするスピーカを提供する。
かかる発明においては、スピーカユニットを筐体に固定するために設けられた締結具を利用し、これを吸引する永久磁石をフロントグリル側に設けることのみにより、フロントグリルを筐体前面に固定する手段が構成される。かかる発明によれば、フロントグリルを筐体前面に固定するに当たって、筐体に対する特別な加工は不要である。
好ましい態様において、前記スピーカユニットは、前記振動板を駆動する手段として、永久磁石を有する電磁式の駆動部を有し、前記フロントグリルにおける複数の永久磁石の磁軸は、前記駆動部の永久磁石の磁軸と平行であり、かつ、反対方向を向いている。
かかる態様によれば、フロントグリルに固定された永久磁石によって発生される磁束が、駆動部の永久磁石によって発生される磁束のうち筐体の外側を通過する漏れ磁束を打ち消す。従って、筐体外部への漏れ磁束を低減し、スピーカの周囲の電子機器に与える悪影響を低減することができる。
【発明を実施するための最良の形態】
【０００８】
図１は、この発明の一実施形態であるスピーカの構成を示す正面図、図２は、図１におけるＩａ−Ｉａ’線断面図である。なお、図１には、フロントグリルが外された状態のスピーカが示されている。図１に示すように、スピーカの筐体１０の前面には、スピーカユニット２０のフレーム２１が固定されている。このフレーム２１は、非磁性体であるアルミニウム製のフレームであり、その中央に保持した振動板２２を筐体１０の前面から露出させている。
【０００９】
図２に示すように、筐体１０は、前面に開口部１１を有する中空の筐体である。スピーカユニット２０は、フレーム２１を筐体１０の外側に残し、他の部分を開口部１１から筐体１０内部に収容させている。そして、フレーム２１は、図１に示す４本のネジ２３ａ、２３ｂ、２３ｃ、２３ｄにより、筐体１０における開口部１１の周囲の部分に固定されている。これらのネジ２３ａ、２３ｂ、２３ｃ、２３ｄは、強磁性体である鉄製のネジである。
【００１０】
筐体１０の背面には、オーディオ信号が入力される２個のターミナルが設けられている。図２には、これらのうちの一方のターミナル１２と、２個のターミナルを介して供給されるオーディオ信号をスピーカユニット２０に供給するための２本のリード線１３、１４が示されている。スピーカユニット２０は、永久磁石を有する電磁式の駆動部を内蔵している。この駆動部は、リード線１３、１４を介して供給されるオーディオ信号に応じて、振動板２２を振動させる。なお、１５は、スピーカの音響特性を調整するための吸音材であり、１６は、筐体１０を支持する脚である。
【００１１】
図２に示すように、筐体１０の前面には、フロントグリル３０が保持されている。図３は、このフロントグリル３０の正面図、図４は図３のＩｂ−Ｉｂ’線断面図、図５はフロントグリル３０の背面図である。これらの図に示すように、フロントグリル３０は、グリル枠３１を有しており、このグリル枠３１に空けられた円状の開口部には防護ネット３２が張設されている。また、グリル枠３１の背面の４隅には、永久磁石３３ａ、３３ｂ、３３ｃ、３３ｄが各々の磁極をフロントグリル３０の背面から突出させた状態で固定されている。これらの４個の永久磁石３３ａ、３３ｂ、３３ｃ、３３ｄは、防護ネット３２が振動板２２の前面を覆うようにグリル枠３１を位置させたときに、スピーカユニット２０を固定しているネジ２３ａ、２３ｂ、２３ｃ、２３ｄの頭部と各々向かい合うようになっている。この状態において、４個の永久磁石３３ａ、３３ｂ、３３ｃ、３３ｄによってネジ２３ａ、２３ｂ、２３ｃ、２３ｄが吸引され、これによりフロントグリル３０が筐体１０の前面に固定される。
【００１２】
このように、本実施形態においては、スピーカユニット２０を筐体１０に固定するための締結具が強磁性体である鉄製のネジであることに着目し、フロントグリル３０の背面のうちこのネジと対向する位置にこのネジを吸引する永久磁石を設ける、という極めて簡単な構成により、フロントグリル３０を筐体１０に固定するための手段を構成している。従って、フロントグリル３０を取り付けるに当たって、特別な加工を筐体１０に施す必要がない。
【００１３】
また、本実施形態において、スピーカユニット２０のフレーム２１は、非磁性体であるアルミニウム製であり、強磁性体であるネジ２３ａ、２３ｂ、２３ｃ、２３ｄはこのフレーム２１に打ち込まれている。従って、ユーザは、永久磁石３３ａ、３３ｂ、３３ｃ、３３ｄをネジ２３ａ、２３ｂ、２３ｃ、２３ｄに容易に導くことができる。
【００１４】
図６は、以上説明した実施形態にさらなる改良を加えたスピーカの構成を示す図である。上記実施形態と同様、このスピーカも、フロントグリルに４個の永久磁石３３ａ、３３ｂ、３３ｃ、３３ｄが設けられており、これがスピーカユニット固定用のネジを吸引することにより、フロントグリルが筐体１０に固定される。なお、図６では、４個の永久磁石３３ａ、３３ｂ、３３ｃ、３３ｄのうち、永久磁石３３ａ、３３ｂのみが図示されている。図６に示す構成において、駆動部の永久磁石２４の磁軸は、筐体１０の前後方向を向いており、筐体１０の前面側がＮ極、背面側がＳ極となっている。これに対し、フロントグリル３０を筐体１０の前面に固定するための永久磁石３３ａ、３３ｂ、３３ｃ、３３ｄは、各々の磁軸が永久磁石２４の磁軸と平行であるが、極性が永久磁石２４と逆になっており、各々のＮ極を筐体１０の前面に向けている。このため、永久磁石３３ａ、３３ｂ、３３ｃ、３３ｄによって発生する磁束は、図示のように、駆動部の永久磁石２４によって発生される磁束のうち筐体１０の外側を通過する漏れ磁束を打ち消す。
【００１５】
一般に、スピーカは、そのサイズが小さくなるほど、駆動部が発生する磁束を筐体外部に漏らさないように構成することが困難であるとされてきたが、本実施形態によれば、フロントグリルを固定するための永久磁石を利用して、かかる漏れ磁束を低減することができる。従って、小型であり、かつ、いわゆる防磁効果の高められたスピーカを簡単な構成で実現することができる。
【００１６】
以上、本発明の実施形態を説明したが、本発明には上記以外にも様々な態様が考えられる。
例えば上記各実施形態では、フレーム２１を筐体１０の外側に配置した状態において、ネジ２３ａ〜２３ｄによりフレーム２１を筐体１０に固定した。しかし、そのようにする代わりに、フレーム２１を筐体１０の内側に配置した状態において、筐体１０の外側から筐体１０およびフレーム２１にネジ２３ａ〜２３ｄを貫通させ、筐体１０とフレーム２１とを固定してもよい。この構成においても、開口部１１から振動板２２が露出し、かつ、ネジ２３ａ〜２３ｄの頭部が筐体１０の表面から露出した状態となるので、ネジ２３ａ〜２３ｄにフロントグリル側の永久磁石を対向させ、フロントグリルを筐体１０の前面に固定することができる。
ネジの本数は、何本でもよく、フロントグリル側の永久磁石も、必要な数を設ければよい。
スピーカユニットを筐体に固定するためのネジの本数と、フロントグリル側の永久磁石の個数は同じでなくてもよい。ネジは、スピーカユニットを筐体に固定するのに必要な数だけあればよく、永久磁石は、所期の防磁効果を得るのに必要な個数のものをフロントグリルの適所に配置すればよい。例えば、スピーカユニットを筐体に固定するために６本のネジを使用し、必要な防磁効果を得るために、フロントグリルの背面において各ネジに対向する６箇所のうち４箇所にのみ永久磁石を配置するという態様もあり得る。逆に、例えば、スピーカユニットを筐体に固定するために４本のネジを使用し、フロントグリルの背面において各ネジに対向する４箇所に永久磁石を配置するとともに、さらに必要な防磁効果を得るために追加の永久磁石を配置するという態様もあり得る。
【図面の簡単な説明】
【００１７】
【図１】この発明の一実施形態であるスピーカの構成を示す正面図である。
【図２】図１のＩａ−Ｉａ’線断面図である。
【図３】同実施形態におけるフロントグリルの構成を示す正面図である。
【図４】図３のＩｂ−Ｉｂ’線断面図である。
【図５】同フロントグリルの背面図である。
【図６】この発明の他の実施形態であるスピーカの構成を示す図である。
【図７】従来のスピーカの構成を示す斜視図である。
【図８】同スピーカにおけるフロントグリルの取り付け構造を示す断面図である。
【符号の説明】
【００１８】
１０……筐体、２０……スピーカユニット、２１……フレーム、２３ａ、２３ｂ、２３ｃ、２３ｄ……ネジ、３１……グリル枠、３２……防護ネット、３３ａ、３３ｂ、３３ｃ、３３ｄ……永久磁石。
【図１】
2005159863.tif 000003
【図２】
2005159863.tif 000004
【図３】
2005159863.tif 000005
【図４】
2005159863.tif 000006
【図５】
2005159863.tif 000007
【図６】
2005159863.tif 000008
【図７】
2005159863.tif 000009
【図８】
2005159863.tif 000010